(57)【要約】【課題】深夜帯などの所定の時間帯では照明負荷の点灯出力を減光させるとともに、それ以外の時間帯では周囲を明るく照明することができる照明制御スイッチを提供する。【解決手段】照明制御スイッチＡの器体１０の前面には、照明負荷をオン／オフするための押釦スイッチと、調光時間帯を設定する調光時間帯設定スイッチの回転摘み１８を配置するとともに、回動操作に応じて裏面で押釦スイッチを押動する操作ハンドル２０を回動自在に取着してある。操作ハンドル２０には回転摘み１８を露出させる開口窓２２ａが設けられ、回転摘み１８を覆う閉位置と回転摘み１８を露出させる開位置との間で開閉自在となるハンドルカバー２６を取着してある。照明制御スイッチＡは、押釦スイッチの操作に応じて照明負荷への電力供給を入切するとともに、調光時間帯に押釦スイッチがオン操作されると照明負荷を減光点灯させている。【選択図】図１
2008004520.tif 000002
【特許請求の範囲】
【請求項１】
器体の前面に、照明負荷のオン操作及びオフ操作を行うための押操作部と、１日の内で前記照明負荷を減光点灯させる調光時間帯を設定するための調光時間帯設定部とを配置するとともに、器体の内部に、照明負荷への電力供給の入切及び電力供給量の調整を行う照明制御部と、前記押操作部のオン操作及びオフ操作に応じて前記照明制御部を制御して前記照明負荷を点灯及び消灯させるとともに、前記調光時間帯に前記押操作部がオン操作された場合には調光時間帯以外の時間帯に比べて前記照明負荷への電力供給量を低下させるように前記照明制御部を制御する点灯制御部とを収納し、器体の前面を略覆うようにして器体の前面に回動自在に取着され回動操作に応じて裏面で前記押操作部を押動する操作ハンドルを備え、当該操作ハンドルに前記調光時間帯設定部を露出させるための操作孔を設けるとともに、操作ハンドルの前面に、前記操作孔から露出する調光時間帯設定部を覆う閉位置と前記減光点灯時間設定部を露出させる開位置との間で開閉自在となるハンドルカバーを設けたことを特徴とする照明制御スイッチ。
【請求項２】
前記調光時間帯において前記照明負荷を減光点灯させる場合の明るさを設定する明るさ設定部を設けたことを特徴とする請求項１記載の照明制御スイッチ。
【請求項３】
前記点灯制御部は、前記調光時間帯において前記押操作部が所定のオン操作時間連続して押操作されると、前記照明制御部を制御して前記照明負荷を全点灯させることを特徴とする請求項１又は２の何れか１項に記載の照明制御スイッチ。
【請求項４】
前記点灯制御部は、前記調光時間帯において前記押操作部がオン操作及びオフ操作されると、前記照明制御部を制御して前記照明負荷への電力供給量を徐々に増減させることで前記照明負荷をフェードイン及びフェードアウトさせることを特徴とする請求項１乃至３の何れか１項に記載の照明制御スイッチ。
【請求項５】
前記点灯制御部は、前記押操作部がオフ操作されると、前記照明制御部を制御してオフ操作前の点灯出力よりも暗い所定の調光レベルで前記照明負荷を一定時間点灯させるとともに、一定時間経過後に前記照明負荷を消灯させることを特徴とする請求項１乃至４の何れか１項に記載の照明制御スイッチ。
【請求項６】
前記点灯制御部は、前記照明負荷が所定の消し忘れ判定時間連続して点灯していると、前記照明制御部を制御して前記照明負荷を消灯させることを特徴とする請求項１乃至５の何れか１項に記載の照明制御スイッチ。
【請求項７】
前記押操作部のオン操作及びオフ操作に応じて換気扇負荷への電力供給をオン、オフする換気扇制御部を設けたことを特徴とする請求項１乃至６の何れか１項に記載の照明制御スイッチ。
【請求項８】
前記照明負荷のオン／オフ操作を行う外部スイッチからの接点信号が入力される信号入力端子を備え、前記点灯制御部は、信号入力端子を介して接点信号が入力されると、前記照明制御部を制御して照明負荷の点灯／消灯を切り換えることを特徴とする請求項１乃至７の何れか１項に記載の照明制御スイッチ。
【請求項９】
前記器体が、埋込型配線器具を造営面に埋込配設するために用いる取付枠に３個まで取付可能な単位寸法の埋込型配線器具の２個分の大きさに形成されたことを特徴とする請求項１乃至８の何れか１項に記載の照明制御スイッチ。
【請求項１０】
前記器体が、埋込型配線器具を造営面に埋込配設するために用いる取付枠に３個まで取付可能な単位寸法の埋込型配線器具の３個分の大きさに形成されたことを特徴とする請求項１乃至８の何れか１項に記載の照明制御スイッチ。
【発明の詳細な説明】
【技術分野】
【０００１】
本発明は、照明負荷への電力供給を制御する照明制御スイッチに関するものである。
【背景技術】
【０００２】
この種の照明制御スイッチとしては、廊下や階段などに設置されて、廊下灯や階段灯などの照明負荷への電力供給を入切するために使用されるものがあった。
【０００３】
また、トイレに設置された照明負荷への電力供給の入切に加えて、例えば換気扇のような他の負荷のタイマ制御を行えるようにした照明制御スイッチも従来より提供されている（例えば特許文献１参照）。
【特許文献１】特開２０００−１００２９３号公報（段落番号［００３１］−［００４６］、及び、第２図−第４図）
【発明の開示】
【発明が解決しようとする課題】
【０００４】
上述の照明制御スイッチでは、照明負荷への電源供給を入／切しているだけなので、照明負荷の点灯出力は時間帯に関係なく常に略一定であった。したがって、深夜にトイレなどに行くために起きた場合に、照明制御スイッチを用いて廊下灯や階段灯或いはトイレ内の照明負荷を点灯させると、これらの照明負荷が全点灯されるため、目が眩んだり、覚醒して寝付きが悪くなるという問題があった。
【０００５】
本発明は上記問題点に鑑みて為されたものであり、その目的とするところは、深夜帯などの所定の時間帯では照明負荷の点灯出力を減光させるとともに、それ以外の時間帯では周囲を明るく照明することができる照明制御スイッチを提供することにある。
【課題を解決するための手段】
【０００６】
上記目的を達成するために、請求項１の発明は、器体の前面に、照明負荷のオン操作及びオフ操作を行うための押操作部と、１日の内で照明負荷を減光点灯させる調光時間帯を設定するための調光時間帯設定部とを配置するとともに、器体の内部に、照明負荷への電力供給の入切及び電力供給量の調整を行う照明制御部と、押操作部のオン操作及びオフ操作に応じて照明制御部を制御して照明負荷を点灯及び消灯させるとともに、調光時間帯に押操作部がオン操作された場合には調光時間帯以外の時間帯に比べて照明負荷への電力供給量を低下させるように照明制御部を制御する点灯制御部とを収納し、器体の前面を略覆うようにして器体の前面に回動自在に取着され回動操作に応じて裏面で押操作部を押動する操作ハンドルを備え、当該操作ハンドルに調光時間帯設定部を露出させるための操作孔を設けるとともに、操作ハンドルの前面に、操作孔から露出する調光時間帯設定部を覆う閉位置と減光点灯時間設定部を露出させる開位置との間で開閉自在となるハンドルカバーを設けたことを特徴とする。
【０００７】
請求項２の発明は、請求項１の発明において、調光時間帯において照明負荷を減光点灯させる場合の明るさを設定する明るさ設定部を設けたことを特徴とする。
【０００８】
請求項３の発明は、請求項１又は２の発明において、点灯制御部は、調光時間帯において押操作部が所定のオン操作時間連続して押操作されると、照明制御部を制御して照明負荷を全点灯させることを特徴とする。
【０００９】
請求項４の発明は、請求項１乃至３の何れか１つの発明において、点灯制御部は、調光時間帯において押操作部がオン操作及びオフ操作されると、照明制御部を制御して照明負荷への電力供給量を徐々に増減させることで照明負荷をフェードイン及びフェードアウトさせることを特徴とする。
【００１０】
請求項５の発明は、請求項１乃至４の何れか１つの発明において、点灯制御部は、押操作部がオフ操作されると、照明制御部を制御してオフ操作前の点灯出力よりも暗い所定の調光レベルで照明負荷を一定時間点灯させるとともに、一定時間経過後に照明負荷を消灯させることを特徴とする。
【００１１】
請求項６の発明は、請求項１乃至５の何れか１つの発明において、点灯制御部は、照明負荷が所定の消し忘れ判定時間連続して点灯していると、照明制御部を制御して照明負荷を消灯させることを特徴とする。
【００１２】
請求項７の発明は、請求項１乃至６の何れか１つの発明において、押操作部のオン操作及びオフ操作に応じて換気扇負荷への電力供給をオン、オフする換気扇制御部を設けたことを特徴とする。
【００１３】
請求項８の発明は、請求項１乃至７の何れか１つの発明において、照明負荷のオン／オフ操作を行う外部スイッチからの接点信号が入力される信号入力端子を備え、点灯制御部は、信号入力端子を介して接点信号が入力されると、照明制御部を制御して照明負荷の点灯／消灯を切り換えることを特徴とする。
【００１４】
請求項９の発明は、請求項１乃至８の何れか１つの発明において、器体が、埋込型配線器具を造営面に埋込配設するために用いる取付枠に３個まで取付可能な単位寸法の埋込型配線器具の２個分の大きさに形成されたことを特徴とする。
【００１５】
請求項１０の発明は、請求項１乃至８の何れか１つの発明において、器体が、埋込型配線器具を造営面に埋込配設するために用いる取付枠に３個まで取付可能な単位寸法の埋込型配線器具の３個分の大きさに形成されたことを特徴とする。
【発明の効果】
【００１６】
請求項１の発明によれば、調光時間帯設定部により例えば深夜帯を調光時間帯として一旦設定しておけば、調光時間帯において押操作部がオン操作された場合は、点灯制御部が、調光時間帯以外の時間帯に比べて照明負荷への電力供給量を低下させているので、調光時間帯における照明負荷の点灯出力を自動的に減光させることができ、使用者が眩しいと感じたり、覚醒して寝付きにくくなるのを防止できるという効果があり、また電力消費を低減できるという効果もある。さらにハンドルカバーを開けると調光時間帯設定部が露出するので、一般の使用者でも調光時間帯設定部を用いて調光時間帯の設定操作を容易に行うことができ、且つ、ハンドルカバーを閉じた状態では調光時間帯設定部がハンドルカバーで覆われているので、調光時間帯設定部が不用意に操作されるのを防止できるという効果もある。
【００１７】
請求項２の発明によれば、明るさ設定部により、使用する照明負荷の種類や用途などに合わせて減光点灯時の明るさを調整することができ、使い勝手が向上するという効果がある。
【００１８】
請求項３の発明によれば、調光時間帯に照明負荷を全点灯させたい場合は、押操作部を所定のオン操作時間連続押しすることによって、照明負荷が全点灯されるので、使い勝手が向上するという効果がある。
【００１９】
請求項４の発明によれば、調光時間帯に照明負荷を点灯及び消灯させる際に、点灯制御部が、照明制御部を制御して照明負荷をフェードイン、フェードアウトさせているので、照明負荷の点灯出力をゆっくりと変化させることで、使用者をさらに目覚めにくくできる。また照明負荷として白熱灯を用いた場合は、照明負荷である白熱灯の点灯出力をゆっくりと変化させることができるので、白熱灯の玉切れが起こりにくくなり、照明負荷の寿命を延ばすことができるという効果がある。
【００２０】
請求項５の発明によれば、点灯制御部は、押操作部がオフ操作された後も一定時間が経過するまでの間、オフ操作前の点灯出力よりも暗い調光レベルで照明負荷を点灯させているので、使用者がオフ操作を行った後、別の場所に移動するまでの間は明るさを確保できるという効果がある。しかも、オフ操作を行った後は照明負荷の点灯出力を暗くしているので、押操作部がオフ操作されたことを使用者に知らしめることができるという効果がある。
【００２１】
請求項６の発明によれば、照明負荷が消し忘れ判定時間連続点灯していると、点灯制御部が照明制御部を制御して照明負荷を消灯させているので、照明負荷の消し忘れを確実に防止できるという効果がある。
【００２２】
請求項７の発明によれば、換気扇制御部が、押操作部のオン操作およびオフ操作に応じて換気扇のオン、オフを制御しているので、例えば浴室やトイレなど照明負荷と換気扇の両方が設置されている場所では、１つの操作ハンドルを操作するだけで照明負荷と換気扇の両方を連動してオン／オフさせることができ、使い勝手が向上するという効果がある。
【００２３】
請求項８の発明によれば、点灯制御部は、押操作部のオン操作およびオフ操作に応じて照明制御部を制御して照明負荷の点灯／消灯を切り換えるとともに、信号入力端子を介して外部スイッチから接点信号が入力されると照明負荷の点灯／消灯を切り換えているので、１つの照明負荷を複数の場所からオン／オフすることができる。
【００２４】
請求項９の発明によれば、器体を単位寸法の埋込型配線器具の２個分の寸法に形成しているので、取付枠に対して他の単位寸法の埋込型配線器具を一緒に組み込むことができる。
【００２５】
請求項１０の発明によれば、器体を単位寸法の埋込型配線器具の３個分の寸法に形成しているので、単位寸法の埋込型配線器具の２個分の大きさに形成した場合に比べて内部のスペースを大きくでき、機能の追加による部品の増加や、照明負荷の容量アップによる電力制御素子の大型化にも容易に対応できる。
【発明を実施するための最良の形態】
【００２６】
以下に本発明の実施の形態を図面に基づいて説明する。
【００２７】
（実施形態１）
本発明の実施形態１を図１〜図８に基づいて説明する。本発明に係る照明制御スイッチＡは、例えば廊下や階段に設置された廊下灯や階段灯などの照明負荷への電力供給を入切するために使用されるものであり、１日の内で予め設定された時間帯（例えば深夜帯など）はオン操作に応じて照明負荷を減光点灯させ、それ以外の時間帯ではオン操作に応じて照明負荷を全点灯させる機能を備えている。
【００２８】
図４は本実施形態の照明制御スイッチＡ（親器）とスイッチ子器Ｂ（外部スイッチ）とを用いた照明負荷Ｌａの制御回路を示し、例えば照明制御スイッチＡを廊下の一方の端に、スイッチ子器Ｂを廊下の他方の端に設置して、廊下に設置された照明負荷Ｌａを２カ所から点灯および消灯できるようにしてある。尚、以下の説明では照明負荷Ｌａが廊下灯の場合について説明を行うが、照明負荷Ｌａは廊下灯に限定されるものではなく、照明負荷Ｌａの設置場所や用途は問わない。
【００２９】
スイッチ子器Ｂは、後述する照明制御スイッチＡのトライアック２を介して商用電源ＡＣと照明負荷Ｌａとの直列回路が接続される接続端子ｔａ，ｔｂと、照明制御スイッチＡの接続端子Ｔｃ（信号入力端子）に接続される接続端子ｔｃとを備えている。ここで、接続端子ｔａと接続端子ｔｂとの間は内部の配線を介して導通している。一方、接続端子ｔａと接続端子ｔｃとの間には、照明負荷Ｌａのオン／オフ操作を行うための操作スイッチＳＷが接続されている。また接続端子ｔａには位置表示用の発光ダイオードＬＤ２のアノードが接続されており、この発光ダイオードＬＤ２のカソードと接続端子ｔｃとの間には限流用の抵抗Ｒ５を介してダイオードＤ２が順方向に接続されている。
【００３０】
一方、照明制御スイッチＡは、スイッチ子器Ｂを介して商用電源ＡＣと照明負荷Ｌａとの直列回路が接続される一対の接続端子Ｔａ，Ｔｂと、スイッチ子器Ｂの操作スイッチＳＷを介して商用電源ＡＣの一端側に接続される接続端子Ｔｃとを備えている。また照明制御スイッチＡは、例えばマイクロコンピュータからなり内部回路全体の制御を行う制御回路１（点灯制御部）と、接続端子Ｔａ，Ｔｂ間に接続されるトライアック２（照明制御部）と、制御回路１に動作用のクロック信号を与えるクロック回路３と、制御回路１に計時用のクロック信号を与えるクロック回路４と、照明負荷Ｌａのオン／オフ操作を行うための押釦スイッチ５（押操作部）と、照明負荷Ｌａを減光点灯させる時間帯（調光時間帯）を設定するための調光時間帯設定スイッチ６（調光時間帯設定部）と、照明負荷Ｌａを減光点灯させる時の明るさを設定する明るさ設定ボリューム７（明るさ設定部）と、接続端子Ｔａ，Ｔｂより入力される商用電源ＡＣから内部回路の動作電源を生成する電源回路８とを備えている。
【００３１】
トライアック２は、Ｔ２端子とＴ１端子がそれぞれ接続端子Ｔａ，Ｔｂに接続されるとともに、ゲートＧが抵抗Ｒ１を介して接続端子Ｔｂに接続されており、さらにゲートＧには制御回路１の出力ポートＰＯ１が接続されている。
【００３２】
また制御回路１の出力ポートＰＯ２には抵抗Ｒ２を介してｎｐｎ型のトランジスタＴｒ１のベースが接続されている。このトランジスタＴｒ１のコレクタは接続端子Ｔｃに接続されるとともに、エミッタが電源回路８の低圧側端に接続されている。制御回路１の入力ポートＰＩ２には、ｎｐｎ型のトランジスタＴｒ２のコレクタが接続されており、トランジスタＴｒ２のエミッタは電源回路８の低圧側端に接続されている。また接続端子ＴｃにはダイオードＤ１のカソードが接続され、ダイオードＤ１のアノードと接続端子Ｔｂの間には抵抗Ｒ３が接続されており、ダイオードＤ１と抵抗Ｒ３との接続点はトランジスタＴｒ２のベースに接続されている。
【００３３】
ここで、スイッチ子器Ｂの発光ダイオードＬＤ２を点灯させる場合は、制御回路１が出力ポートＰＯ２の信号レベルをハイにして、トランジスタＴｒ１をオンさせると、商用電源ＡＣのＣ１側が正となる期間に、商用電源ＡＣ→発光ダイオードＬＤ２→抵抗Ｒ５→ダイオードＤ２→トランジスタＴｒ１→電源回路８→照明負荷Ｌａ→商用電源ＡＣの経路で電流が流れて発光ダイオードＬＤ２が点灯させられる。このとき発光ダイオードＬＤ２には微少な電流しか流れず、照明負荷Ｌａが点灯することはない。
【００３４】
またスイッチ子器Ｂに設けた操作スイッチＳＷの操作信号を制御回路１が取り込む動作について以下に説明する。商用電源ＡＣのＣ２側が正となる期間において、スイッチ子器Ｂの操作スイッチＳＷがオフ状態の場合は、トライアック２がターンオンするまでの期間、トランジスタＴｒ２がオンしているが、スイッチ子器Ｂの操作スイッチＳＷがオン状態の場合、トランジスタＴｒ２のベース電流がＣ１側に流れてトランジスタＴｒ２がオフになる。したがって、制御回路１では、トランジスタＴｒ２のコレクタ電圧すなわち入力ポートＰＩ２の電圧レベルを監視することによって、スイッチ子器Ｂに設けた操作スイッチＳＷの接点信号を取り込むことができる。また制御回路１の入力ポートＰＩ１には押釦スイッチ５のスイッチ入力が与えられており、制御回路１では入力ポートＰＩ１，ＰＩ２から押釦スイッチ５或いはスイッチ子器Ｂの操作スイッチＳＷの操作入力（接点信号）を取り込み、オン操作及びオフ操作に応じてトライアック２のオン／オフを制御し、照明負荷Ｌａを点灯又は消灯させるようになっている。
【００３５】
制御回路１はクロック回路４から入力されるクロック信号をカウントすることによって、現在時刻を計時している。なお図示しない設定手段を用いて制御回路１の計時部の時刻を設定することができ、時刻設定が行われていない場合など計時部の時刻がずれている場合は、制御回路１が発光ダイオードＬＤ１を高速点滅させることで、使用者に時刻の設定を促している。
【００３６】
また制御回路１には上述した調光時間帯設定スイッチ６及び明るさ設定ボリューム７の設定値が入力されている。調光時間帯設定スイッチ６は、１日の内で照明負荷Ｌａを減光点灯させる調光時間帯を設定するために用いられるものであり、本実施形態ではロータリスイッチを用いて構成される。制御回路１では、調光時間帯設定スイッチ６の設定入力を監視しており、調光時間帯設定スイッチ６の設定操作が行われて設定入力が変化すると、その時の時刻を調光時間帯の開始時刻に設定するとともに、調光時間帯設定スイッチ６の設定位置によって調光時間帯の時間幅が例えば４〜８時間まで１時間おきに設定できるようになっている。調光時間帯設定スイッチ６を用いて調光時間帯が一旦設定されると、制御回路１は図示しない内蔵メモリに調光時間帯の開始時刻と時間幅を登録し、以後は内蔵メモリに設定された調光時間帯にオン操作されると、照明負荷Ｌａを減光点灯させるようになっている。
【００３７】
明るさ設定ボリューム７はロータリ式の可変抵抗器からなり、明るさ設定ボリューム７の抵抗値によって、調光時間帯における照明負荷Ｌａの調光レベルが例えば２０％から１００％までの範囲で任意の調光レベルに設定されるのである。したがって、使用する照明負荷Ｌａの種類や用途などに合わせて調光点灯時の明るさを所望の調光レベルに調整することができ、使い勝手が向上する。
【００３８】
電源回路８は、接続端子Ｔａ，Ｔｂを介して供給される交流電圧を整流する整流部と、整流部の整流電圧によって所定電圧まで充電されるコンデンサなどの充電部を備えており、充電部の充電電圧が動作電圧として制御回路１などに供給される。
【００３９】
次に本実施形態の照明制御スイッチＡの構造を図１〜図３に基づいて説明する。尚、以下の説明では特に断りがないかぎり、図２（ａ）に示す向きにおいて上下左右の方向を規定し、同図（ａ）の正面を前面として説明を行う。したがって、図２（ｂ）における右端は後端となる。
【００４０】
照明制御スイッチＡの器体１０は直方体状であって、合成樹脂により前面が開口した略箱状に形成されたボディ１１と、合成樹脂により後面が開口した略箱状に形成されて、ボディ１１の開口部に被着されるカバー１２とで形成されている。すなわち、カバー１２の上下面の後端縁からは後方に向かって各一対の組立片１２ａが延設され、組立片１２ａに設けた組立孔１２ｂがボディ１１の上下両面に形成してある組立突起１１ａに係合することによって、ボディ１１とカバー１２とが結合されている。
【００４１】
器体１０は埋込配線器具を造営面に埋込配設する際に用いる従来周知の取付枠（図示せず）に取着可能であって、その左右方向の寸法は取付枠が備える窓孔の左右方向寸法（短手方向寸法）と略同じ寸法に形成されている。また器体１０の前部を形成するカバー１２の左右両側面には、取付枠の窓孔を囲む左右両側片に設けた器具取付孔（図示せず）に係合可能な取付爪１３が一対ずつ突設してあり、取付爪１３が取付枠の器具取付孔に係合することによって、器体１０が取付枠に保持されるようにしてある。なおカバー１２の左右方向における一方の側壁（右側壁）には、一対の取付爪１３が突設された部位の上下両側部に、後端が開放された２本の切り込み溝１４がそれぞれ形成されており、２本の切り込み溝１４の間の部位は厚み方向に可撓性を有する撓み片１５となっている。カバー１２内において撓み片１５の裏面側には空所が形成され、撓み片１５をカバー１２の内側に撓ませることで、撓み片１５に設けられた一対の取付爪１３をカバー１２の側面から弾性的に後退させることが可能となっている。なお撓み片１５の後端部外側面には撓み片１５の押し込みを容易にするために操作突起１５ａが突設されている。
【００４２】
而して器体１０を取付枠に取り付ける際には、カバー１２の左側壁に設けた取付爪１３を取付枠の器具取付孔に挿入するとともに、右側壁に設けた取付爪１３をカバー１２の側面から後退させるようにして取付枠の窓孔に器体１０を挿入すれば、右側壁の取付爪１３が器具取付孔に挿入されて器体１０が取付枠に保持される。また撓み片１５をカバー１２の内側に押し込むようにすれば、撓み片１５に設けた取付爪１３が器具取付孔から抜けるので、器体１０を取付枠から容易に取り外すことができる。
【００４３】
ところで、上述の取付枠は、単位寸法（１個モジュール寸法）の埋込型配線器具を短幅方向に３個並べて取付可能な１連の取付枠であって、照明制御スイッチＡの器体１０は２個モジュール寸法（単位寸法の埋込配線器具を短幅方向に２個並べたのと略同じ寸法）に形成されており、図３に示すように１個モジュール寸法に形成されたスイッチなどの他の配線器具Ｃと並設することができる。なお取付枠は壁面などの造営面に取り付けられ、器体１０の後部は造営面に開口する取付穴に埋設される。また取付枠の前面側には、取付枠の窓孔よりも長寸かつ幅広の窓孔５１を備える化粧プレート５０が重ね合わせて配置され、この化粧プレート５０の窓孔５１から照明制御スイッチＡの機能面や配線器具Ｃの機能面が露出するようになっている。
【００４４】
器体１０の内部には、上述した図４の回路を構成する回路部品や、外部電線を接続するための複数の端子などを実装したプリント配線板（図示せず）が収納されている。プリント配線板に実装される個々の端子は、ボディ１１の後壁に形成された電線挿入孔１６を通して器体１０内に挿入される外部電線を、導電性を有する板ばねからなる鎖錠ばねのばね力によって接続保持する速結端子（図示せず）で構成してある。また鎖錠ばねを押圧して電線の鎖錠状態を解除するための解除釦（図示せず）も器体１０内に収納されており、ボディ１１の後壁には解除釦を操作するための操作孔１７が電線挿入孔１６の近傍に開口している。なお複数の端子としては上述した接続端子Ｔａ〜Ｔｃがあり、ボディ１１の後壁に設けた電線挿入孔１６の内、図２（ｃ）中の左下の電線挿入孔１６が電源接続用の接続端子Ｔｂに対応し、右下の電線挿入孔１６が負荷接続用の接続端子Ｔａに対応し、右上の電線挿入孔１６がスイッチ子器Ｂを接続するための接続端子Ｔｃに対応している。
【００４５】
器体１０の前面（つまりカバー１２の前面）には、タクトスイッチからなる押釦スイッチ５の押釦（図示せず）と、調光時間帯設定スイッチ６の回転摘み１８と、明るさ設定ボリューム７の回転摘み１９と、発光ダイオードＬＤ１とが、カバー１２に開口した窓孔（図示せず）を通して露出している。なお、回転摘み１８，１９はカバー１２前面の左右方向略中央に上下に並べて配置されており、発光ダイオードＬＤ１はカバー１２前面の左端部に配置されている。
【００４６】
また器体１０の前面側には、回動動作に応じて押釦スイッチ５の押釦を裏面で押動する操作ハンドル２０が、器体１０前面の略全体を覆う形で回動自在に取着されている。すなわちカバー１２前面の左側端部には、操作ハンドル２０を枢着するための軸部（図示せず）が設けられており、この軸部に操作ハンドル２０後面の左端部に設けた軸受部（図示せず）を枢支させることで、操作ハンドル２０が器体１０に対して回動自在に取着される。軸受部には操作ハンドル２０を反操作方向に付勢するための付勢ばね（図示せず）を設けてあり、操作ハンドル２０は図２（ｄ）中の左回りに付勢されている。而して操作ハンドル２０の右側部に押力が加わると、操作ハンドル２０が軸部を支点に回動し、操作ハンドル２０の後面に設けた押突起（図示せず）によって押釦スイッチ５の押釦が押されて、押釦スイッチ５がオンになる。一方、操作ハンドル２０の右側部を押す力が無くなると、操作ハンドル２０は付勢ばねや押釦スイッチ５の押釦の反力を受けて復帰位置に戻り、押釦スイッチ５がオフになる。
【００４７】
操作ハンドル２０は合成樹脂により矩形板状に形成されており、左右方向の寸法が化粧プレート５０の窓孔５１の左右方向（短手方向）寸法と略同じ寸法に形成され、上下方向の寸法が窓孔５１の上下方向（長手方向）寸法の略３分の２の寸法に形成されている。操作ハンドル２０前面の左端部には前方に突出する突台部２１が形成され、突台部２１よりも右側の薄肉部２５には回転摘み１８，１９をそれぞれ露出させる開口窓２２ａ，２２ｂ（操作孔）が貫設されている。なお操作ハンドル２０には、開口窓２２ａの周部に回転摘み１８の切替位置を示す複数の目盛と、各々の切替位置に対応した時間幅や動作状態を示す文字および数字（例えば「切」、「４」、「５」…「８」、「連続」）が印刷などによって表示され、開口窓２２ｂの周部には回転摘み１９の回転範囲を示す目盛と、回転範囲の両端位置における調光レベルを示す文字（２０％、１００％）が印刷などによって表示されている。また操作ハンドル２０の裏面には本スイッチの使用方法、すなわち回転摘み１８，１９による設定方法が印刷などにより表示されている。
【００４８】
ここで、調光時間帯設定スイッチ６の回転摘み１８を「４」「５」…「８」の位置に切り替えると、調光時間帯が回転摘み１８を切り替えた時刻から、４時間、５時間…８時間にそれぞれ設定される。また回転摘み１８を「切」の位置に切り替えると、照明負荷Ｌａが時間帯に関係無く常に全点灯状態で点灯又は消灯されるようになり、「連続」の位置に切り替えると、照明負荷Ｌａが時間帯に関係無く常に減光状態で点灯又は消灯されるようになる。また明るさ設定ボリューム７の回転摘み１９を所定の位置に回転させることで、調光時間帯における照明負荷Ｌａの調光レベルが２０％〜１００％の範囲で所望の調光レベルに設定される。
【００４９】
また突台部２１の上下方向における略中央部には貫通孔２４が形成され、この貫通孔２４には透光性を有する合成樹脂により形成された導光部材２３が嵌め込まれている。導光部材２３の裏面は、カバー１２の前面に露出する発光ダイオードＬＤ１と対向しており、発光ダイオードＬＤ１の光が導光部材２３を通して操作ハンドル２０の前面側に出射されるようになっている。
【００５０】
また操作ハンドル２０には、薄肉部２５の開口窓２２ａ，２２ｂから露出する回転摘み１８，１９を開閉自在に覆うハンドルカバー２６が取着されている。ハンドルカバー２６は左右方向及び上下方向の寸法が、それぞれ、薄肉部２５の左右方向及び上下方向の寸法と略同じ寸法に形成されている。そして、このハンドルカバー２６の左側部の上下両端部からは一対のアーム２７，２７が側方に向かって突出形成され、各アーム２７の先端部には、突台部２１の上下両面に設けた軸穴（図示せず）に枢支される軸２７ａが突設されている（図３参照）。而して、各アーム２７の軸２７ａを突台部２１の軸穴に枢支させることで、ハンドルカバー２６が開口窓２２ａ，２２ｂ（つまり回転摘み１８，１９）を露出させる開位置と、開口窓２２ａ，２２ｂ（回転摘み１８，１９）を覆う閉位置とを選択自在として操作ハンドル２０の前面に回動自在に取着されるのである。なおハンドルカバー２６は、例えば操作ハンドル２０に保持させた鉄片（図示せず）を、ハンドルカバー２６の裏面に取着した永久磁石２８の磁力で吸着することによって、閉じた状態を保持するようになっており、操作ハンドル２０とハンドルカバー２６とでハンドル部材３０を構成している。
【００５１】
ここで、ハンドルカバー２６を開けた状態では、調光時間帯設定スイッチ６の回転摘み１８や、明るさ設定ボリューム７の回転摘み１９が露出するので、一般の使用者でも調光時間帯や調光レベルの設定操作を容易に行えるのである。一方、調光時間帯や調光レベルの設定時以外は回転摘み１８，１９をハンドルカバー２６で覆うことにより、不用意に回転摘み１８，１９が操作されて、調光時間帯や調光レベルの設定が変更されるのを防止できる。またハンドルカバー２６を閉じると、回転摘み１８，１９がハンドルカバー２６によって覆われ、照明制御スイッチＡの外観が他のスイッチの外観と同様の外観になるので、室内のデザイン性を高めることができ、またハンドルカバー２６の前面全体が操作面となるので、操作面を広げることで操作性を向上させることができる。尚、本実施形態では、調光時間帯設定スイッチ６の回転摘み１８を上側、明るさ設定ボリューム７の回転摘み１９を下側に配置しているが、回転摘み１８，１９の配置は上記の形態に限定されるものではなく、例えば図８に示すように明るさ設定ボリューム７の回転摘み１９を上側、調光時間帯設定スイッチ６の回転摘み１８を下側に配置してもよい。ここにおいて図８中の５２は、スイッチを並設しない場合に用いる目隠しプレートである。
【００５２】
次に、この照明制御スイッチＡの動作を説明する。この照明制御スイッチＡは例えば廊下に設置された照明負荷Ｌａを点灯又は消灯させるために用いられ、図４の回路ではスイッチ子器Ｂを用いることで照明負荷Ｌａを２カ所からオン／オフできるようになっている。
【００５３】
制御回路１は、入力ポートＰＩ１，ＰＩ２から押釦スイッチ５およびスイッチ子器Ｂの操作スイッチＳＷの操作入力を取り込んでおり、ハンドル部材３０（すなわち押釦スイッチ５）又は操作スイッチＳＷの何れかで照明負荷Ｌａのオフ操作が行われると、制御回路１はトライアック２をオフさせる。ここで、照明負荷Ｌａの消灯時には、照明負荷Ｌａの漏れ電流によってトライアック２の両端間に発生する電圧により電源回路８が内部回路の動作電源を生成する。また照明負荷Ｌａの消灯時には制御回路１は発光ダイオードＬＤ１を点灯させるとともに、トランジスタＴｒ１をオンさせてスイッチ子器Ｂの発光ダイオードＬＤ２を点灯させており、発光ダイオードＬＤ１，ＬＤ２の発光により照明制御スイッチＡおよびスイッチ子器Ｂの設置位置を表示するようになっている。
【００５４】
一方、押釦スイッチ５又は操作スイッチＳＷの何れかで照明負荷Ｌａのオン操作が行われると、制御回路１は、商用電源ＡＣの電源電圧の半周期毎に所定の位相角でトライアック２のゲートＧに制御信号を出力して、トライアック２をターンオンさせており、電源電圧のゼロクロスまでオン状態を継続する。そして、制御回路１が電源電圧の半周期毎に上記の動作を繰り返すことで、照明負荷Ｌａに電源が供給されて、照明負荷Ｌａが点灯する。したがって、制御回路１がトライアック２をターンオンさせる位相角を制御することにより、照明負荷Ｌａへの供給電力量が制御されるのである。
【００５５】
また制御回路１では、予め設定された調光時間帯にオン操作が行われると照明負荷Ｌａを減光点灯させるようになっており、現在の時刻が調光時間帯以外であれば、照明負荷Ｌａを全点灯させるように、トライアック２をターンオンさせる位相角を制御する。なお交流電源電圧のゼロクロスからトライアック２をターンオンさせるまでの間には、電源回路８の充電部を充電するのに必要なタイムラグを設けてあり、この間に充電部を急速充電して、充電部の充電電圧により内部回路の動作電源を得るようになっている。一方、現在の時刻が調光時間帯であれば、制御回路１は、明るさ設定ボリューム７で設定された調光レベルで照明負荷Ｌａを減光点灯させるように、トライアック２をターンオンさせる位相角を制御しており、照明負荷Ｌａが所定の調光レベルで減光点灯できるようになっている。また、照明負荷Ｌａの点灯時には発光ダイオードＬＤ１を消灯させるとともに、トランジスタＴｒ１をオフさせて、スイッチ子器Ｂの発光ダイオードＬＤ２を消灯させている。
【００５６】
ここで、図５のタイムチャートを参照して照明制御スイッチＡの動作を説明する。図５のタイムチャートでは調光時間帯が時刻ｔ４から時刻ｔ７までの間に設定されており、調光時間帯以外の時刻ｔ１において押釦スイッチ５又は操作スイッチＳＷの何れかでオン操作が行われると、制御回路１はトライアック２を制御して照明負荷Ｌａを全点灯させ、その後時刻ｔ２においてオフ操作が行われると、トライアック２を制御してオフ操作前の点灯レベル（１００％）の約７０％の点灯レベルで照明負荷Ｌａを一定時間（例えば５秒程度の遅れ時間）点灯させた後、照明負荷Ｌａを消灯させる。
【００５７】
また調光時間帯に入る前の時刻ｔ３で、押釦スイッチ５又は操作スイッチＳＷの何れかによりオン操作が行われると、制御回路１は照明負荷Ｌａを全点灯させるが、照明負荷Ｌａの点灯中に調光時間帯の開始時刻ｔ４になると、制御回路１は、トライアック２を制御して、明るさ設定ボリューム７により設定された調光レベルＬ１で照明負荷Ｌａを点灯させる。
【００５８】
そして、時刻ｔ５において押釦スイッチ５又は操作スイッチＳＷの何れかでオフ操作が行われると、制御回路１は、トライアック２を制御して、オフ操作前の調光レベルＬ１の約７０％の調光レベルＬ２で照明負荷Ｌａを一定時間（例えば５秒間）点灯させた後、照明負荷Ｌａへの電力供給量を所定のフェード時間（例えば約２００ｍ秒）をかけて徐々に減少させることで照明負荷Ｌａをフェードアウトさせる（フェード消灯）。
【００５９】
また調光時間帯中の時刻ｔ６において押釦スイッチ５又は操作スイッチＳＷの何れかでオン操作が行われると、制御回路１は、トライアック２を制御して、消灯状態から照明負荷Ｌａへの電力供給量を所定のフェード時間（例えば約２００ｍ秒）をかけて徐々に増加させて照明負荷Ｌａをフェードインさせ、明るさ設定ボリューム７により設定された調光レベルＬ１で点灯させる（フェード点灯）。そして照明負荷Ｌａの調光点灯中に調光時間帯の終了時刻ｔ７になると、制御回路１は、トライアック２を制御して照明負荷Ｌａを全点灯（１００％点灯）させる。また制御回路１では、照明負荷Ｌａが所定の消し忘れ時間Ｔｘ（例えば１時間）連続して点灯していると、消し忘れと判断し、オン操作時（時刻ｔ６）から消し忘れ時間Ｔｘが経過した時刻ｔ８において、照明負荷Ｌａを消灯させる動作を行っており、照明負荷Ｌａの消し忘れを確実に防止することができる。なお、消し忘れと判断して照明負荷Ｌａを自動消灯させる場合、制御回路１は、トライアック２を制御して、消灯動作を行う前の点灯レベルの約７０％の点灯レベルで照明負荷Ｌａを所定時間（例えば１０秒程度）点灯させた後、時刻ｔ９において照明負荷Ｌａを消灯させている。そして、点灯レベルを下げて点灯させる間（時刻ｔ８から時刻ｔ９までの間）に押釦スイッチ５又は操作スイッチＳＷによる操作が行われると、制御回路１は照明負荷Ｌａを消灯させずに、点灯状態を継続させるようになっている。
【００６０】
また照明制御スイッチＡの別の動作を図６のタイムチャートに基づいて説明する。この場合、調光時間帯は時刻ｔ１０からｔ１８までの時間帯に設定されており、調光時間帯中の時刻ｔ１１において押釦スイッチ５又は操作スイッチＳＷの何れかでオン操作が行われると、制御回路１は、トライアック２を制御して、照明負荷Ｌａへの電力供給量を所定のフェード時間をかけて徐々に増加させて照明負荷Ｌａをフェードインさせ、明るさ設定ボリューム７により設定された調光レベルＬ３で点灯させる（フェード点灯）。
【００６１】
そして照明負荷Ｌａが点灯中の時刻ｔ１２において、ハンドル部材３０、すなわち押釦スイッチ５を所定のオン操作時間（例えば３秒）連続して押操作すると、制御回路１がトライアック２を制御して、照明負荷Ｌａを全点灯させる。
【００６２】
その後、時刻ｔ１３において押釦スイッチ５又は操作スイッチＳＷの何れかでオフ操作が行われると、制御回路１は、トライアック２を制御して、オフ操作前の点灯レベル（１００％）の約７０％の点灯レベルで照明負荷Ｌａを一定時間点灯させた後、時刻ｔ１４において照明負荷Ｌａへの電力供給量を所定のフェード時間をかけて徐々に減少させて、照明負荷Ｌａをフェードアウトさせる。また、調光時間帯中に明るさ設定ボリューム７を用いて調光レベルの調整値が変更され、変更後の時刻ｔ１５において押釦スイッチ５又は操作スイッチＳＷの何れかでオン操作が行われると、制御回路１は、トライアック２を制御して、照明負荷Ｌａの調光レベルが明るさ設定ボリューム７で設定された調光レベルＬ４になるまで、照明負荷Ｌａへの電力供給量を所定のフェード時間をかけて徐々に増加させ、照明負荷Ｌａをフェードインさせる（フェード点灯）。そして照明負荷Ｌａが点灯中の時刻ｔ１６において、押釦スイッチ５又は操作スイッチＳＷの何れかでオフ操作が行われると、制御回路１は、トライアック２を制御して、オフ操作前の調光レベルＬ４の約７０％の調光レベルＬ５で照明負荷Ｌａを一定時間（例えば５秒間）点灯させた後、時刻ｔ１７において照明負荷Ｌａへの電力供給量を所定のフェード時間をかけて徐々に減少させて、照明負荷Ｌａをフェードアウトさせる。
【００６３】
上述のように本実施形態の照明制御スイッチＡでは、調光時間帯設定スイッチ６により例えば深夜帯を調光時間帯として一旦設定しておけば、調光時間帯において押釦スイッチ５（ハンドル部材３０）又は操作スイッチＳＷの何れかがオン操作された場合は、点灯制御部たる制御回路１が、照明制御部たるトライアック２を制御して、調光時間帯以外の時間帯に比べて照明負荷Ｌａへの電力供給量を低下させているので、調光時間帯における照明負荷Ｌａの点灯出力を通常時よりも減光させることができる。したがって、深夜にトイレなどに起きた使用者が照明制御スイッチＡを用いて照明負荷Ｌａを点灯させたとしても、使用者が眩しいと感じたり、完全に目が覚めて寝付きが悪くなるのを防止できるという効果があり、また深夜帯には電力供給量を低下させることで、消費電力を抑制することもできる。
【００６４】
また調光時間帯においても、使用者がハンドル部材３０を押操作して、押釦スイッチ５を所定のオン操作時間連続押しすると、制御回路１が、押釦スイッチ５からのスイッチ入力に基づいて照明負荷Ｌａを全点灯させており、調光時間帯中であっても照明負荷Ｌａを全点灯させたい場合は、所定の操作により照明負荷Ｌａを全点灯させることができるので、使い勝手が向上する。
【００６５】
また制御回路１では、押釦スイッチ５又は操作スイッチＳＷの何れかのスイッチ操作に応じて、調光時間帯中に照明負荷Ｌａを点灯及び消灯させる際に、トライアック２を制御して照明負荷Ｌａへの供給電力量を所定のフェード時間をかけて徐々に増減させることで、照明負荷Ｌａをフェードイン、フェードアウトさせているので、照明負荷Ｌａの点灯出力をゆっくりと変化させることで、使用者が眩しさを感じたり、覚醒したりするのをさらに防止できる。
【００６６】
また照明負荷Ｌａとして白熱灯を用いる場合、白熱灯の球切れはフィラメントが高温に加熱されることで蒸発し、細くなって断線することで発生するのであるが、フィラメントの蒸発を抑制するためにはフィラメントの温度が高温にならないように、照明負荷Ｌａに印加する電圧を低下させる必要がある。本実施形態の照明制御スイッチＡでは、調光時間帯において照明負荷Ｌａを減光点灯させているので、照明負荷Ｌａに印加する電圧を低下させるのと同等の効果があり、フィラメントの温度上昇を抑制し、蒸発を抑制することで、白熱灯の寿命を延ばすことができる。また図７は照明負荷Ｌａを点灯させる際に照明負荷Ｌａに流れる負荷電流を示しており、点灯初期は白熱灯自体が冷えているために、大きな電流が流れ込み、その後フィラメントの温度上昇に伴って負荷電流が徐々に低下するようになっている。点灯初期に照明負荷Ｌａに大電流が流れ込むと、この電流によって細くなったフィラメントが断線する可能性があるが、本実施形態では調光時間帯において、制御回路１が、トライアック２を制御して照明負荷Ｌａをフォードインさせているので、点灯初期に照明負荷Ｌａに大電流が流れ込むのを防止して、照明負荷Ｌａの長寿命化を図ることができる。
【００６７】
なお制御回路１が、調光時間帯以外の時間帯においても、照明負荷Ｌａを点灯又は消灯させる際に、トライアック２を制御して照明負荷Ｌａをフェードイン、フェードアウトさせるようにしても良く、点灯初期に照明負荷Ｌａに大電流が流れ込むのを防止して、照明負荷Ｌａの寿命を延ばすことができる。
【００６８】
また制御回路１は、押釦スイッチ５又は操作スイッチＳＷの何れかでオフ操作が行われ後も一定時間（例えば５秒程度の遅れ時間）が経過するまでの間、オン操作時（つまりオフ操作前）の点灯出力よりも暗い調光レベル（例えばオフ操作前の約７０％の調光レベル）で照明負荷Ｌａを点灯させており、使用者がオフ操作を行った後、別の場所に移動するまでの明るさを確保することができるので安全である。またオフ操作を行った後も照明負荷Ｌａの点灯状態が一定時間保持されるので、オフ操作を行った使用者は、押釦スイッチ５又は操作スイッチＳＷのオフ操作に失敗したと誤解する可能性があるが、制御回路１が、照明負荷Ｌａの点灯出力をオフ操作前に比べて暗くしているので、オフ操作が行われたことを使用者に対して確実に知らしめることができる。
【００６９】
なお本実施形態では信号入力端子としての接続端子Ｔｃを介してスイッチ子器Ｂからの接点信号が入力されると、制御回路１がトライアック２を制御して照明負荷Ｌａの点灯／消灯を切り換えているので、廊下や階段などの複数の場所（本実施形態では２カ所）から照明負荷Ｌａのオン／オフ操作を行うことができるのであるが、スイッチ子器Ｂを無くして、照明制御スイッチＡのみで照明負荷Ｌａのオン／オフ操作を行うようにしても良い。この場合は接続端子Ｔａ，Ｔｂ間に商用電源ＡＣと照明負荷Ｌａの直列回路を接続すれば良く、スイッチ子器Ｂのスイッチ入力を検出するためのトランジスタＴＲ２や、スイッチ子器Ｂの発光ダイオードＬＤ２を点灯又は消灯させるトランジスタＴＲ１は不要である。
【００７０】
なお本実施形態では器体１０の大きさを２個モジュール寸法に形成しているが、器体１０の大きさを３個モジュール寸法（単位寸法の埋込配線器具を短幅方向に３個並べたのと略同じ寸法）に形成しても良く、２個モジュール寸法とした場合に比べて内部のスペースを大きくできるから、機能の追加による部品の増加や、照明負荷Ｌａの容量アップに伴う電力制御素子（トライアック２）の大型化にも容易に対応することができる。
【００７１】
（実施形態２）
本発明の実施形態２を図９〜図１１に基づいて説明する。本実施形態では、実施形態１で説明した照明制御スイッチＡに換気扇Ｆのオン／オフを制御する機能を設けてあり、例えばトイレに設置された照明負荷Ｌａと換気扇Ｆとを連動して制御するために用いられる。尚、換気扇Ｆの制御に関わる構成以外は実施形態１と同様であるので共通する構成要素には同一の符号を付して、その説明は省略する。
【００７２】
図９は、本実施形態の照明制御スイッチＡを用いた照明負荷Ｌａおよび換気扇Ｆの制御回路の回路図である。この照明制御スイッチＡは、実施形態１で説明した構成に加えて、接続端子Ｔａとの間に商用電源ＡＣと換気扇Ｆとの直列回路が接続される接続端子Ｔｄを備えており、この接続端子Ｔｄと接続端子Ｔａとの間にはリレー３２のリレー接点３２ｂが接続されている。またリレー３２の励磁コイル３２ａは制御回路１の出力ポートＰＯ３，ＰＯ４間に接続されており、制御回路１が励磁コイル３２ａに励磁電流を供給すると、リレー接点３２ｂがオンになり、換気扇Ｆに電源が供給されるのである。また制御回路１には遅れ時間設定部９の設定値が入力されている。遅れ時間設定部９は、換気扇Ｆをオフ操作した際の動作保持時間（遅れ時間）を設定するためのもので、本実施形態ではロータリスイッチを用いて構成されている。制御回路１では、遅れ時間設定部９の設定入力を監視しており、遅れ時間設定部９の設定位置に応じて遅れ時間が例えばゼロ、３０秒、１分、３分、５分、１０分、３０分の何れかに切替設定されるようになっている。
【００７３】
次に本実施形態の照明制御スイッチＡの構造を図１０（ａ）〜（ｃ）に基づいて説明する。この照明制御スイッチＡの器体１０は３個モジュール寸法に形成されており、その内部には図９の回路を構成する回路部品や、外部電線を接続するための複数の端子などを実装したプリント配線板（図示せず）が収納されている。プリント配線板に実装される個々の端子は、ボディ１１の後壁に形成された電線挿入孔１６を通して器体１０内に挿入される外部電線を、鎖錠ばねのばね力によって接続保持する速結端子（図示せず）で構成してある。また器体１０の内部には解除釦も収納されており、ボディ１１の後壁には解除釦を操作するための操作孔１７が電線挿入孔１６の近傍に開口している。なお複数の端子としては上述した接続端子Ｔａ〜Ｔｄがあり、ボディ１１の後壁に設けた電線挿入孔１６の内、図１０（ｃ）中の左下の電線挿入孔１６が電源接続用の接続端子Ｔｂに、右下の電線挿入孔１６が照明負荷接続用の接続端子Ｔａに、右上の電線挿入孔１６が換気扇接続用の接続端子Ｔｄとなっている。
【００７４】
器体１０の前面には、タクトスイッチからなる押釦スイッチ５の押釦（図示せず）と、調光時間帯設定スイッチ６の回転摘み１８と、明るさ設定ボリューム７の回転摘み１９と、遅れ時間設定部９の回転摘み３１と、発光ダイオードＬＤ１とが、カバー１２に開口した窓孔（図示せず）を通して露出している。なお、回転摘み１９，１８，３１はカバー１２前面の左右方向略中央に上下に並べて配置されており、発光ダイオードＬＤ１はカバー１２前面の左端部に配置されている。
【００７５】
また器体１０の前面側には、図１０（ａ）（ｂ）に示すように実施形態１で説明したハンドル部材３０（操作ハンドル２０およびハンドルカバー２６からなる）が、器体１０前面の略全体を覆う形で回動自在に取着されている。このハンドル部材３０は、左右方向の寸法が化粧プレート５０の窓孔５１の左右方向（短手方向）寸法と略同じ寸法に形成され、上下方向の寸法が窓孔５１の上下方向（長手方向）寸法と略同じ寸法に形成されている。また操作ハンドル２０の薄肉部２５には、回転摘み１８，１９，３１をそれぞれ露出させる開口窓２２ａ，２２ｂ，２２ｃが貫設されている。そして操作ハンドル２０には、開口窓２２ｃの周部に回転摘み３１の切替位置を示す複数の目盛と、各々の切替位置に対応した遅れ時間を示す文字（例えば「切」、「３０秒」、「１」、「３」、「５」、「１０分」、「３０分」）が印刷などによって表示されている。而してハンドルカバー２６を開いた状態では、回転摘み１８，１９，３１を用いてそれぞれ調光時間帯や調光レベルや遅れ時間の設定作業を行うことができる。またハンドルカバー２６を閉じた状態では、回転摘み１８，１９，３１を隠して不用意に設定が変更されるのを防止することができる。なおハンドル部材３０は、回転摘み１９を露出させる開口窓２２ｃを設けた点や回転摘み１８，１９，３１の配置や外形寸法が異なる点以外は実施形態１と同様の構成を有しているので、共通する構成要素については同一の符号を付して説明を省略する。
【００７６】
次に本実施形態の動作を説明する。この照明制御スイッチＡは例えばトイレに設置された照明負荷Ｌａおよび換気扇Ｆのオン／オフを制御するために用いられる。
【００７７】
制御回路１は、入力ポートＰＩ１から押釦スイッチ５の操作入力を取り込んでおり、ハンドル部材３０（すなわち押釦スイッチ５）を押操作することで照明負荷Ｌａのオフ操作が行われると、制御回路１はトライアック２をオフさせるとともに、励磁コイル３２ａへの通電を停止して、リレー接点３２ｂをオフさせる。また照明負荷Ｌａの消灯時には制御回路１は発光ダイオードＬＤ１を点灯させており、発光ダイオードＬＤ１の発光により照明制御スイッチＡの設置位置を表示するようになっている。なおオフ操作から所定の動作保持時間が経過するまで、制御回路１がリレー接点３２ｂのオン状態を継続して、換気扇Ｆの動作を動作保持時間だけ延長させても良い。
【００７８】
一方、ハンドル部材３０（押釦スイッチ５）を押操作することで照明負荷Ｌａのオン操作が行われると、制御回路１は、商用電源ＡＣの電源電圧の半周期毎に所定の位相角でトライアック２のゲートＧに制御信号を出力して、トライアック２をターンオンさせており、電源電圧のゼロクロスまでオン状態を継続する。そして、制御回路１が電源電圧の半周期毎に上記の動作を繰り返すことで、照明負荷Ｌａに電源が供給されて、照明負荷Ｌａが点灯する。したがって、制御回路１がトライアック２をターンオンさせる位相角を制御することにより、照明負荷Ｌａへの供給電力量が制御されるのである。また、この時同時に制御回路１は励磁コイル３２ａに励磁電流を供給してリレー接点３２ｂを導通させており、換気扇Ｆに電源を供給して、換気扇Ｆをオン動作させている。なお制御回路１では、予め設定された調光時間帯にオン操作が行われると、明るさ設定ボリューム７で設定された調光レベルで照明負荷Ｌａを減光点灯させるように、トライアック２をターンオンさせる位相角を制御し、調光時間帯以外でオン操作が行われると、照明負荷Ｌａを全点灯させるように、トライアック２をターンオンさせる位相角を制御する。
【００７９】
ここで、図１１のタイムチャートを参照して照明制御スイッチＡの動作を説明する。尚、図１１（ａ）は照明負荷Ｌａの点灯状態を、同図（ｂ）は換気扇Ｆの動作状態をそれぞれ示している。図１１のタイムチャートでは調光時間帯が時刻ｔ２５から時刻ｔ３１までの間に設定されており、調光時間帯以外の時刻ｔ２０においてハンドル部材３０（押釦スイッチ５）によるオン操作が行われると、制御回路１は、トライアック２の位相角を制御して、照明負荷Ｌａへの電力供給量を所定のフェード時間ｄＴ１（例えば０．５秒）をかけて徐々に増加させることで全点灯させるとともに（フェード点灯）、励磁コイル３２ａに励磁電流を流してリレー接点３２ｂをオンさせ、換気扇Ｆをオン動作させる。その後、時刻ｔ２１においてオフ操作が行われると、制御回路１は、トライアック２を制御してオフ操作前の点灯レベル（１００％）の約５０％の点灯レベルで照明負荷Ｌａを一定時間ｄＴ２（例えば３秒程度の遅れ時間）点灯させた後、照明負荷Ｌａへの電力供給量を所定のフェード時間ｄＴ３（例えば３秒）をかけて徐々に減少させることで照明負荷Ｌａをフェードアウトさせる（フェード消灯）。また制御回路１は、オフ操作後も換気扇Ｆをオン動作させており、オフ操作時から遅れ時間設定部９により設定された遅れ時間ｄＴ４（動作保持時間）が経過した時刻ｔ２４において、励磁コイル３２ａへの通電を停止してリレー接点３２ｂをオフさせることで、換気扇Ｆを停止させる。
【００８０】
また、調光時間帯に入った後の時刻ｔ２６にハンドル部材３０（押釦スイッチ５）によるオン操作が行われると、制御回路１は、トライアック２の位相角を制御して、照明負荷Ｌａへの電力供給量を所定のフェード時間ｄＴ１をかけて徐々に増加させることで、照明負荷Ｌａを明るさ設定ボリューム７で設定された調光レベルＬ６で点灯させるとともに（フェード点灯）、励磁コイル３２ａに励磁電流を流してリレー接点３２ｂをオンさせ、換気扇Ｆをオン動作させる。その後、時刻ｔ２７においてオフ操作が行われると、制御回路１は、トライアック２を制御してオフ操作前の調光レベルＬ６の約５０％の調光レベルＬ７で照明負荷Ｌａを一定時間ｄＴ２だけ点灯させた後、照明負荷Ｌａへの電力供給量を所定のフェード時間ｄＴ３をかけて徐々に減少させることで照明負荷Ｌａをフェードアウトさせる（フェード消灯）。また制御回路１は、オフ操作後も換気扇Ｆをオン動作させており、オフ操作時から遅れ時間ｄＴ４が経過した時刻ｔ３０において、励磁コイル３２ａへの通電を停止してリレー接点３２ｂをオフさせることで、換気扇Ｆを停止させる。
【００８１】
さらに調光時間帯が終了した後の時刻ｔ３２においてハンドル部材３０（押釦スイッチ５）によるオン操作が行われると、制御回路１は、トライアック２の位相角を制御して、照明負荷Ｌａへの電力供給量をフェード時間ｄＴ１をかけて徐々に増加させることで全点灯させるとともに（フェード点灯）、励磁コイル３２ａに励磁電流を流してリレー接点３２ｂをオンさせ、換気扇Ｆをオン動作させる。その後、時刻ｔ３３においてオフ操作が行われると、制御回路１は、トライアック２を制御してオフ操作前の点灯レベル（１００％）の約５０％の点灯レベルで照明負荷Ｌａを一定時間ｄＴ２だけ点灯させた後、照明負荷Ｌａへの電力供給量を所定のフェード時間ｄＴ３をかけて徐々に減少させることで照明負荷Ｌａをフェードアウトさせる（フェード消灯）。また制御回路１は、オフ操作後も換気扇Ｆをオン動作させており、オフ操作時から遅れ時間ｄＴ４が経過した時刻ｔ３６において、励磁コイル３２ａへの通電を停止してリレー接点３２ｂをオフさせることで、換気扇Ｆを停止させる。
【００８２】
このように本実施形態では制御回路１が、ハンドル部材３０（つまり押釦スイッチ５）のオン操作およびオフ操作に応じて照明負荷Ｌａおよび換気扇Ｆをそれぞれオン、オフさせており、例えばトイレや浴室など照明負荷Ｌａと換気扇Ｆの両方が設置されている場所では、１つのハンドル部材３０を操作するだけで照明負荷Ｌａと換気扇Ｆの両方を連動してオン／オフさせることができ、使い勝手が向上するという効果がある。また制御回路１では、ハンドル部材３０（つまり押釦スイッチ５）によるオフ操作後も所定の遅れ時間ｄＴ４だけ動作時間を延長しているので、トイレに設置された換気扇Ｆの場合は脱臭のため、浴室に設置された換気扇Ｆの場合は乾燥のために動作時間を延長する遅れ停止機能を付加することができる。また実施形態１と同様、調光時間帯においてオン操作が行われると、制御回路１は、照明負荷Ｌａを明るさ設定ボリューム７で設定された調光レベルで点灯させているので、調光時間帯として例えば深夜の時間帯を設定すれば、深夜に照明負荷Ｌａを点灯させる場合に制御回路１が照明負荷Ｌａの点灯出力を自動的に減光させることで、使用者が眩しいと感じたり、覚醒して寝付きにくくなるのを防止することができる。
【００８３】
また本発明の精神と範囲に反することなしに、広範に異なる実施形態を構成することができることは明白なので、この発明は、特定の実施形態に制約されるものではない。
【図面の簡単な説明】
【００８４】
【図１】実施形態１の照明制御スイッチを示し、（ａ）はハンドルカバーを閉じた状態の外観斜視図、（ｂ）はハンドルカバーを開いた状態の外観斜視図である。
【図２】同上の照明制御スイッチを示し、（ａ）は正面図、（ｂ）は右側面図、（ｃ）は背面図、（ｄ）は下面図である。
【図３】同上の照明制御スイッチの施工状態を示し、ハンドルカバーを開いた状態の正面図である。
【図４】同上の照明制御スイッチを用いた照明負荷の制御回路図である。
【図５】（ａ）〜（ｃ）は同上の照明制御スイッチの動作を説明するタイムチャートである。
【図６】（ａ）〜（ｃ）は同上の照明制御スイッチの他の動作を説明するタイムチャートである。
【図７】同上の照明制御スイッチにより制御される照明負荷の負荷電流を示す波形図である。
【図８】同上の照明制御スイッチの他の例を示し、ハンドルカバーを開いた状態の正面図である。
【図９】実施形態２の照明制御スイッチを用いた照明負荷および換気扇の制御回路図である。
【図１０】同上を示し、（ａ）は正面図、（ｂ）はハンドルカバーを開いた状態の正面図、（ｃ）は背面図である。
【図１１】（ａ）（ｂ）は同上の動作を説明するタイムチャートである。
【符号の説明】
【００８５】
Ａ  照明制御スイッチ
１  制御回路（点灯制御部）
２  トライアック（照明制御部）
５  押釦スイッチ（押操作部）
６  調光時間帯設定スイッチ（調光時間帯設定部）
１０  器体
１８  回転摘み
２０  操作ハンドル
２２ａ  開口窓（操作孔）
２６  ハンドルカバー
Ｌａ  照明負荷
【図１】
2008004520.tif 000003
【図２】
2008004520.tif 000004
【図３】
2008004520.tif 000005
【図４】
2008004520.tif 000006
【図５】
2008004520.tif 000007
【図６】
2008004520.tif 000008
【図７】
2008004520.tif 000009
【図８】
2008004520.tif 000010
【図９】
2008004520.tif 000011
【図１０】
2008004520.tif 000012
【図１１】
2008004520.tif 000013